【手続補正書】
【提出日】平成27年6月5日(2015.6.5)
【手続補正１】
【補正対象書類名】明細書
【補正対象項目名】０００７
【補正方法】変更
【補正の内容】
【０００７】
そのために本発明は、インクを吐出する複数のノズルを備えた記録ヘッドと、記録媒体と、の相対走査により前記記録媒体に画像を記録するインクジェット記録装置のための画像処理方法であって、前記記録媒体上の第１画素に対応する多値データと、前記第１画素を記録するノズルが前記第１画素と対応するときの前記ノズルのインクの濃縮度合いに関する濃縮値を示す第１パラメータと、を取得する取得工程と、前記取得工程にて取得された前記第１画素に対応する多値データと前記第１パラメータとに基づいて、前記第１画素に対応する補正データを生成する第１生成工程と、前記第１生成工程にて生成された前記第１画素に対応する補正データに基づいて、前記ノズルからの前記第１画素へのインクの吐出または非吐出を示す吐出データを生成する第２生成工程と、前記取得工程にて取得された前記第１パラメータと前記第２生成工程にて生成された前記吐出データとに基づいて、前記第１画素に隣接する画素であって、前記第１画素の次に前記ノズルによって記録される第２画素を記録するときの前記ノズルのインク濃縮度合いに関する濃縮値を示す第２パラメータを生成する第３生成工程と、を有することを特徴とする。
【手続補正２】
【補正対象書類名】明細書
【補正対象項目名】０００８
【補正方法】変更
【補正の内容】
【０００８】
また、インクを吐出する複数のノズルを備えた記録ヘッドと、記録媒体と、の相対走査により前記記録媒体に画像を記録するための画像処理を行う画像処理装置であって、前記記録媒体上の第１画素に対応する多値データと、前記第１画素を記録するノズルが前記第１画素と対応するときの前記ノズルのインクの濃縮度合いに関する濃縮値を示す第１パラメータと、を取得する取得手段と、前記取得手段によって取得された前記第１画素に対応する多値データと前記第１パラメータとに基づいて、前記第１画素に対応する補正データを生成する第１生成手段と、前記第１生成手段によって生成された前記第１画素に対応する補正データに基づいて、前記ノズルからの前記第１画素へのインクの吐出または非吐出を示す吐出データを生成する第２生成手段と、前記取得手段によって取得された前記第１パラメータと前記第２生成手段によって生成された前記吐出データとに基づいて、前記第１画素に隣接する画素であって、前記第１画素の次に前記ノズルによって記録される第２画素を記録するときの前記ノズルのインク濃縮度合いに関する濃縮値を示す第２パラメータを生成する第３生成手段と、を備えることを特徴とする。
【手続補正３】
【補正対象書類名】明細書
【補正対象項目名】０００９
【補正方法】変更
【補正の内容】
【０００９】
さらに、インクを吐出する複数のノズルを備えた記録ヘッドと、記録媒体と、の相対走査により前記記録媒体に画像を記録するインクジェット記録装置のための画像処理方法であって、前記記録媒体上の第１画素に対応する多値データと、前記第１画素を記録するノズルが前記第１画素と対応するときの前記ノズルのインクの濃縮度合いに関する濃縮値を示す第１パラメータと、を取得する取得工程と、前記取得工程にて取得された前記第１画素に対応する多値データと前記第１パラメータとに基づいて、前記第１画素に対応する補正データを生成する第１生成工程と、前記取得工程にて取得された前記第１パラメータと前記第１生成工程にて生成された前記補正データとに基づいて、前記第１画素に隣接する画素であって、前記第１画素の次に前記ノズルによって記録される第２画素を記録するときの前記ノズルのインク濃縮度合いに関する濃縮値を示す第２パラメータを生成する第２生成工程と、を有することを特徴とする。
【手続補正４】
【補正対象書類名】特許請求の範囲
【補正対象項目名】全文
【補正方法】変更
【補正の内容】
【特許請求の範囲】
【請求項１】
インクを吐出する複数のノズルを備えた記録ヘッドと、記録媒体と、の相対走査により前記記録媒体に画像を記録するインクジェット記録装置のための画像処理方法であって、
前記記録媒体上の第１画素に対応する多値データと、前記第１画素を記録するノズルが前記第１画素と対応するときの前記ノズルのインクの濃縮度合いに関する濃縮値を示す第１パラメータと、を取得する取得工程と、
前記取得工程にて取得された前記第１画素に対応する多値データと前記第１パラメータとに基づいて、前記第１画素に対応する補正データを生成する第１生成工程と、
前記第１生成工程にて生成された前記第１画素に対応する補正データに基づいて、前記ノズルからの前記第１画素へのインクの吐出または非吐出を示す吐出データを生成する第２生成工程と、
前記取得工程にて取得された前記第１パラメータと前記第２生成工程にて生成された前記吐出データとに基づいて、前記第１画素に隣接する画素であって、前記第１画素の次に前記ノズルによって記録される第２画素を記録するときの前記ノズルのインク濃縮度合いに関する濃縮値を示す第２パラメータを生成する第３生成工程と、
を有することを特徴とする画像処理方法。
【請求項２】
前記第１生成工程は、前記第１画素に対応する多値データと前記第１パラメータとに基づいて補正値を決定し、当該補正値で前記第１画素に対応する多値データを補正することにより前記第１画素に対応する補正データを生成することを特徴とする請求項１に記載の画像処理方法。
【請求項３】
前記第１生成工程は、前記第１パラメータが示す前記濃縮値が第１の値である場合に生成される前記補正値が、前記第１パラメータが示す前記濃縮値が前記第１の値よりも小さい第２の値である場合に生成される前記補正値よりも大きくなるように、前記補正値を決定することを特徴とする請求項２に記載の画像処理方法。
【請求項４】
前記第３生成工程は、前記第２生成工程において前記第１画素に対してインクの非吐出を示す吐出データが生成された場合、前記第２パラメータが示す前記濃縮値が前記第１パラメータが示す前記濃縮値よりも大きくなるように、前記第２パラメータを生成することを特徴とする請求項１から３のいずれか１項に記載の画像処理方法。
【請求項５】
前記第３生成工程は、（ｉ）前記第２生成工程において前記第１画素に対してインクの吐出を示す吐出データが生成され、且つ、前記第１パラメータが示す前記濃縮値が第３の値である場合、前記第２パラメータが示す前記濃縮値が第４の値となり、（ｉｉ）前記第２生成工程において前記第１画素に対してインクの吐出を示す吐出データが生成され、且つ、前記第１パラメータが示す前記濃縮値が前記第３の値よりも大きい第５の値である場合、前記第２パラメータが示す前記濃縮値が前記第４の値よりも大きく、且つ、前記第５の値よりも小さい第６の値となるように、前記第２パラメータを生成することを特徴とする請求項１から４のいずれか１項に記載の画像処理方法。
【請求項６】
前記第４の値は０であり、前記第６の値は０よりも大きい値であることを特徴とする請求項５に記載の画像処理方法。
【請求項７】
前記第２生成工程により生成された吐出データに基づいて前記記録媒体に画像を記録する記録工程をさらに備えることを特徴とする請求項１から６のいずれか１項に記載の画像処理方法。
【請求項８】
前記第２生成工程により生成された吐出データは、２値データであることを特徴とする請求項１から７のいずれか１項に記載の画像処理方法。
【請求項９】
前記記録ヘッドは、前記第１画素を複数のノズルで記録し、前記取得工程において、前記複数のノズルそれぞれに対して前記第１パラメータを取得することを特徴とする請求項１から８のいずれか１項に記載の画像処理方法。
【請求項１０】
前記第１生成工程は、前記複数のノズルそれぞれの第１パラメータの平均値を算出し、前記第１画素に対応する多値データと、前記平均値とに基づいて、前記第１画素に対応する補正値データを生成することを特徴とする請求項９に記載の画像処理方法。
【請求項１１】
前記第２生成工程は、前記第１画素に対応する補正データの解像度が前記吐出データの解像度よりも低くなるように、前記吐出データを生成することを特徴とする請求項９に記載の画像処理方法。
【請求項１２】
前記第３生成工程は、前記複数のノズルそれぞれに対して前記第２パラメータを生成し、前記複数のノズルそれぞれの前記第２パラメータの平均値を算出する算出工程をさらに備えることを特徴とする請求項９に記載の画像処理方法。
【請求項１３】
前記取得工程は、前記第２画素に対応する多値データと、前記第３生成工程にて生成された前記第２画素に対応する前記第２パラメータと、を更に取得し、
前記第１生成工程は、前記取得工程にて取得された前記第２画素に対応する前記多値データと前記第２パラメータとに基づいて、前記第２画素に対応する補正データを更に生成し、
前記第２生成工程は、前記第１生成工程にて生成された前記第２画素に対応する補正データに基づいて、前記ノズルから前記第２画素へのインクの吐出または非吐出を示す吐出データを更に生成することを特徴とする請求項１から１２のいずれか１項に記載の画像処理方法。
【請求項１４】
インクを吐出する複数のノズルを備えた記録ヘッドと、記録媒体と、の相対走査により前記記録媒体に画像を記録するための画像処理を行う画像処理装置であって、
前記記録媒体上の第１画素に対応する多値データと、前記第１画素を記録するノズルが前記第１画素と対応するときの前記ノズルのインクの濃縮度合いに関する濃縮値を示す第１パラメータと、を取得する取得手段と、
前記取得手段によって取得された前記第１画素に対応する多値データと前記第１パラメータとに基づいて、前記第１画素に対応する補正データを生成する第１生成手段と、
前記第１生成手段によって生成された前記第１画素に対応する補正データに基づいて、前記ノズルからの前記第１画素へのインクの吐出または非吐出を示す吐出データを生成する第２生成手段と、
前記取得手段によって取得された前記第１パラメータと前記第２生成手段によって生成された前記吐出データとに基づいて、前記第１画素に隣接する画素であって、前記第１画素の次に前記ノズルによって記録される第２画素を記録するときの前記ノズルのインク濃縮度合いに関する濃縮値を示す第２パラメータを生成する第３生成手段と、
を備えることを特徴とする画像処理装置。
【請求項１５】
インクを吐出する複数のノズルを備えた記録ヘッドと、記録媒体と、の相対走査により前記記録媒体に画像を記録するインクジェット記録装置のための画像処理方法であって、
前記記録媒体上の第１画素に対応する多値データと、前記第１画素を記録するノズルが前記第１画素と対応するときの前記ノズルのインクの濃縮度合いに関する濃縮値を示す第１パラメータと、を取得する取得工程と、
前記取得工程にて取得された前記第１画素に対応する多値データと前記第１パラメータとに基づいて、前記第１画素に対応する補正データを生成する第１生成工程と、
前記取得工程にて取得された前記第１パラメータと前記第１生成工程にて生成された前記補正データとに基づいて、前記第１画素に隣接する画素であって、前記第１画素の次に前記ノズルによって記録される第２画素を記録するときの前記ノズルのインク濃縮度合いに関する濃縮値を示す第２パラメータを生成する第２生成工程と、
を有することを特徴とする画像処理方法。